(57)【要約】【課題】ＦＭ受信機において、同調周波数に依存して受信電界強度信号に違いが生じる。【解決手段】Ｓメータ回路９２は、同調周波数ｆＴにて得られた中間信号ＳＩＦ１に基づいて、受信電界強度信号ＳＭ−ＤＣを生成する。Ｓメータ回路９２の感度は、レジスタ１０６に設定される感度設定データＤＳＭにより調整できる。不揮発性のメモリ６０に、ＳＭ−ＤＣのｆＴ依存性についての較正情報１４０を予め格納しておく。例えば、複数のｆＴにてＲＦ回路６２に同一強度のＲＦ信号を入力したときに、Ｓメータ回路９２により同等レベルのＳＭ−ＤＣが検出されるＤＳＭが予め測定により求められ、較正情報１４０はこのＤＳＭを格納する。マイクロコンピュータ５４は、受信動作にてｆＴを変更する際、当該較正情報１４０に基づき、補間演算によりｆＴに対応するＤＳＭを求め、レジスタ１０６に設定する。【選択図】図１
2009081598.tif 000002
【特許請求の範囲】
【請求項１】
受信対象帯域内にて同調周波数を可変設定でき、入力された受信信号から前記同調周波数に応じた目的ＦＭ受信信号を抽出する同調回路と、
前記目的ＦＭ受信信号についての受信電界強度を検出する電界強度検出回路と、
感度設定データに基づき前記電界強度検出回路の感度を調整する感度調整回路と、
前記受信電界強度の前記同調周波数に対する依存性についての較正情報を予め格納された記憶部と、
前記較正情報に基づいて前記感度調整回路に前記同調周波数に応じた前記感度設定データを設定する制御部と、
を有することを特徴とするＦＭ受信機。
【請求項２】
データ転送手段を介して制御部に接続可能な集積回路であるＦＭチューナにおいて、
受信対象帯域内にて同調周波数を可変設定でき、入力された受信信号から前記同調周波数に応じた目的ＦＭ受信信号を抽出する同調回路と、
前記目的ＦＭ受信信号についての受信電界強度を検出する電界強度検出回路と、
前記受信電界強度の前記同調周波数に対する依存性についての較正情報を予め格納され、前記制御部から当該較正情報を読み出し可能な記憶部と、
前記制御部が前記較正情報に基づき前記同調周波数に応じて設定する感度設定データに基づいて、前記電界強度検出回路の感度を調整する感度調整回路と、
を有することを特徴とするＦＭチューナ。
【請求項３】
請求項２に記載のＦＭチューナにおいて、
前記較正情報は、複数の前記同調周波数にて前記同調回路に同一強度の前記受信信号を入力したときに、前記電界強度検出回路により同等の前記受信電界強度が検出される前記感度設定データに基づくものであること、
を特徴とするＦＭチューナ。
【請求項４】
請求項２に記載のＦＭチューナにおいて、
前記較正情報は、複数の前記同調周波数にて前記同調回路に同一強度の前記受信信号を入力したときに、前記電界強度検出回路により同等の前記受信電界強度が検出される前記感度設定データであり、
任意の前記同調周波数にて前記感度制御回路に設定される前記感度設定データは、前記較正情報から補間又は外挿に基づき定められること、
を特徴とするＦＭチューナ。
【発明の詳細な説明】
【技術分野】
【０００１】
本発明は、ＦＭ受信機及びＦＭチューナに関し、特に受信帯域内での特性の安定化に関する。
【背景技術】
【０００２】
図３は、従来のＦＭ受信機２の回路構成を示すブロック図である。アンテナ４で受信されたＲＦ（Radio Frequency）信号ＳＲＦ０は、ＲＦ回路６に入力される。ＲＦ回路６は、受信対象とする広い帯域にわたるＲＦ信号ＳＲＦ０から、搬送波周波数ｆＲを有する目的受信局を含む狭い帯域のＲＦ信号ＳＲＦを抽出する同調処理を行う。同調処理では、同調周波数ｆＴを中心周波数とするバンドパスフィルタ（Band Pass Filter：ＢＰＦ）であるＲＦＢＰＦが、目的受信信号の近傍帯域から外れた成分を減衰させる。ＲＦＢＰＦは、印加電圧に応じて静電容量Ｃが変化するバラクタダイオードを容量素子として用いたＬＣフィルタで構成され、Ｃを変化させることで同調周波数ｆＴを制御できる。これにより、ＲＦ回路６は、ＲＦ信号ＳＲＦ０のうちＲＦ信号ＳＲＦを選択的に通過させる。なお、同調処理での選択度を示す指標としてクオリティファクタＱが用いられる。Ｑは、その値が大きいほど選択度が高いことを表す。すなわち、大きなＱでは、通過成分の帯域は狭く、ピークは高くなり、小さなＱでは帯域が広がり、ピークが低くなる。
【０００３】
第１混合回路８は、ＲＦ回路６から入力されるＲＦ信号ＳＲＦと、第１局部発振回路１０から入力される第１局部発振信号ＳＬＯ１とを混合して、第１中間周波数（Intermediate Frequency：ＩＦ）ｆＩＦ１を有する第１中間信号ＳＩＦ１を生成する。
【０００４】
ＳＩＦ１は、第２混合回路１２及びＳメータ回路１４に入力される。第２混合回路１２は、第１中間信号ＳＩＦ１を、第２局部発振回路１６から入力される第２局部発振信号ＳＬＯ２と混合して、第２中間周波数ｆＩＦ２の第２中間信号ＳＩＦ２を生成する。
【０００５】
ＳＩＦ２は、ＩＦＢＰＦ１８、リミッタアンプ２０を経て、ＦＭ検波回路２２に入力される。ＦＭ検波回路２２は例えば、ＳＩＦ２をＦＭ検波し、音声帯域成分を含む検波出力信号ＳＤＥＴを出力する。
【０００６】
一方、Ｓメータ回路１４は、第１中間信号ＳＩＦ１に基づいて、ＳＩＦ１に含まれる変動成分信号ＳＭ−ＡＣを生成すると共に、当該変動成分をＬＰＦで平滑化して受信電界強度信号ＳＭ−ＤＣを生成する。この受信電界強度信号ＳＭ−ＤＣは、ＦＭ受信機２の様々な機能の制御に用いられる。例えば、シーク動作における受信局の検出判定や、ステレオ分離度の制御、高域除去制御（High Cut Control：ＨＣＣ）、ソフトミュートの制御などに利用される。
【０００７】
ここで、ＲＦ回路６における同調周波数ｆＴや、Ｓメータ回路１４の感度は、レジスタ２４，２６に格納されたデータをＤ／Ａ変換回路２８，３０でアナログ電圧に変換し、当該電圧で、ＲＦ回路６のバラクタダイオードの容量Ｃや、Ｓメータ回路１４を構成するリミッタアンプの駆動電流を変化させることで制御可能に構成されている。
【０００８】
ＦＭ受信機２は、上述の回路（ＦＭチューナ回路）と、当該ＦＭチューナ回路の動作を制御するマイクロコンピュータ３２及び当該ＦＭチューナ回路の制御パラメータ等を格納したＥＥＰＲＯＭ等のメモリ３４とで構成される。例えば、ＦＭチューナ回路が構成された集積回路（ＩＣ）は、システムバス３６を介してマイクロコンピュータ３２やメモリ３４に接続される。同調制御では、マイクロコンピュータ３２がレジスタ２４の格納データを書き換えることで、同調周波数ｆＴが所望の値に変更される。また、メモリ３４には、Ｓメータ回路１４を好適な感度に設定する感度設定データが予め格納されており、マイクロコンピュータ３２は、ＦＭ受信機２の起動時にその感度設定データをメモリ３４から読み出してレジスタ２６に書き込む。この感度設定データは、受信帯域のほぼ中心となる周波数でのＳＭ−ＤＣに基づいて定められ、受信帯域全体に共通に適用される。
【特許文献１】特開平７−９９４２７号公報
【発明の開示】
【発明が解決しようとする課題】
【０００９】
ＲＦ回路６のような同調回路の選択度、すなわちＱは、同調周波数ｆＴに依存し得る。具体的には、バラクタダイオードのＱ値は、動作周波数及び印加電圧に依存性があり、静電容量Ｃの増加にしたがって当該Ｑ値が低下する。このバラクタダイオードのＱ値の変化により、バラクタダイオードを用いてｆＴを変化させる同調回路は、ｆＴが低くなるにしたがってＱが低くなる特性を示す。
【００１０】
Ｑが低下すると上述のように通過帯域特性のピークが低くなり、ＲＦ回路６から出力される目的受信信号の強度も低下する。その結果、アンテナ４への入力電界強度が同じであっても、Ｓメータ回路１４にて得られる受信電界強度信号ＳＭ−ＤＣがｆＴに応じて変化する。すなわち、ｆＴが低くなるとＳＭ−ＤＣの信号レベルも低下するという問題があった。また、ＳＭ−ＤＣは上述のようにＦＭチューナの各種機能の制御に用いられるため、それら機能の動作もｆＴに応じて変動するという問題があり、例えば、音質がｆＴによって変わる等の不都合があった。
【００１１】
特に、東欧を含むヨーロッパでの使用に対応したチューナは、６５ＭＨｚから１０８ＭＨｚまでの広い帯域を受信対象とするため、上述の問題への対応が重要となる。
【００１２】
本発明は上記問題点を解決するためになされたものであり、受信対象帯域内にて、受信電界強度信号ＳＭ−ＤＣの精度が向上し、ひいては各種機能の安定動作が実現されるＦＭ受信機及びＦＭチューナを提供することを目的とする。
【課題を解決するための手段】
【００１３】
本発明に係るＦＭ受信機は、受信対象帯域内にて同調周波数を可変設定でき、入力された受信信号から前記同調周波数に応じた目的ＦＭ受信信号を抽出する同調回路と、前記目的ＦＭ受信信号についての受信電界強度を検出する電界強度検出回路と、感度設定データに基づき前記電界強度検出回路の感度を調整する感度調整回路と、前記受信電界強度の前記同調周波数に対する依存性についての較正情報を予め格納された記憶部と、前記較正情報に基づいて前記感度調整回路に前記同調周波数に応じた前記感度設定データを設定する制御部と、を有する。
【発明の効果】
【００１４】
本発明によれば、受信動作時には、予め記憶部に格納された較正情報を用いて電界強度検出回路の感度が同調周波数に応じて調整される。これにより、電界強度検出回路にて検出される受信電界強度に関し、同調回路などのＦＭ受信機又はＦＭチューナの内部に起因する同調周波数依存性を解消して精度を確保することが可能となる。その結果、当該受信電界強度に基づいて制御される機能が、同調周波数が相違しても一定の動作を行うことが可能となる。
【発明を実施するための最良の形態】
【００１５】
以下、本発明の実施の形態（以下実施形態という）について、図面に基づいて説明する。図１は、実施形態に係るＦＭ受信機の概略のブロック構成図である。本ＦＭ受信機５０は、ＦＭチューナ回路５２と、当該ＦＭチューナ回路５２の動作を制御する制御部であるマイクロコンピュータ５４と、それらの間の通信を可能とするシステムバス５６とを含んで構成されるＦＭラジオ受信機である。ＦＭチューナ回路５２の主要部はＩＣ化され、例えば、アンテナ５８で受信されたＲＦ信号ＳＲＦ０から希望局の音声信号に対応した出力信号ＳＯＵＴを生成する信号処理回路と、当該信号処理回路の動作で用いられるデータ等を格納したＥＥＰＲＯＭ等の不揮発性のメモリ６０とで構成され、複数チップ、１チップ又は１パッケージのＩＣとして一体に構成される。
【００１６】
アンテナ５８で受信されたＲＦ信号ＳＲＦ０は、ＲＦ回路６２、第１局部発振回路６４、第１混合回路６６、ＢＰＦ６８，７２、バッファアンプ７０，７８、第２局部発振回路７４、第２混合回路７６、ＩＦＢＰＦ８０、リミッタアンプ８２、ＦＭ検波回路８４、ノイズキャンセラ８６、及びマトリクス回路（ＭＰＸ回路）８８を含んで構成される信号処理系で処理され、出力信号ＳＯＵＴが生成される。
【００１７】
ＦＭチューナ回路５２は上述の構成要素の他、Ｓメータ回路９２、帯域幅制御回路９４、ステレオ分離度制御回路９６、パイロット信号抽出回路９８、ＭＲＣ回路１００、レジスタ１０４，１０６及びＤ／Ａ変換回路１０８，１１０を含んで構成される。
【００１８】
ＲＦ信号ＳＲＦ０はＲＦ回路６２に入力される。ＲＦ回路６２は、受信対象帯域にわたるＲＦ信号ＳＲＦ０から、搬送波周波数ｆＲを有する目的受信局を含む比較的狭い帯域のＲＦ信号ＳＲＦを抽出する同調処理を行う。同調処理では、同調周波数ｆＴを中心周波数とするＲＦＢＰＦが、目的受信信号の近傍帯域から外れた成分を減衰させる。ＲＦＢＰＦは、印加電圧に応じて静電容量Ｃが変化するバラクタダイオードを容量素子として用いたＬＣフィルタで構成される。バラクタダイオードの容量Ｃは、マイクロコンピュータ５４がシステムバス５６を介してメモリ６０から所望のｆＴに応じたデータを読み出し、レジスタ１０４に設定し、Ｄ／Ａ変換回路１０８がレジスタ１０４に設定された当該データに応じた電圧をバラクタダイオードに印加することにより制御される。このようにして容量Ｃを変化させることで同調周波数ｆＴが制御され、入力ＲＦ信号ＳＲＦ０のうち、ｆＴに対応するＲＦ信号ＳＲＦが選択的にＲＦ回路６２を通過する。
【００１９】
ＲＦ回路６２で抽出されたＲＦ信号ＳＲＦは第１混合回路６６に入力される。第１混合回路６６は、入力されたＲＦ信号ＳＲＦを、第１局部発振回路６４から入力される第１局部発振信号ＳＬＯ１と混合して、第１中間信号ＳＩＦ１を生成する。ＳＬＯ１の周波数ｆＬＯ１は、ＳＲＦに含まれる目的受信局の信号の搬送波周波数ｆＲが第１混合回路６６によるＳＩＦ１への周波数変換にて所定の第１中間周波数ｆＩＦ１に変換されるように調整される。第１中間周波数ｆＩＦ１は、例えば、１０．７ＭＨｚに設定される。
【００２０】
ＳＩＦ１は、ＢＰＦ６８、バッファアンプ７０及びＢＰＦ７２を経て、第２混合回路７６に入力される。例えば、ＢＰＦ６８，７２はセラミックフィルタを用いて構成することができる。
【００２１】
第２混合回路７６は、入力された第１中間信号ＳＩＦ１を、第２局部発振回路７４から入力される第２局部発振信号ＳＬＯ２と混合して、第２中間周波数ｆＩＦ２の第２中間信号ＳＩＦ２を生成する。ＳＬＯ２の周波数ｆＬＯ２は、（ｆＩＦ１−ｆＩＦ２）に設定され、ＳＩＦ１に含まれる周波数ｆＩＦ１の目的受信信号は第２混合回路７６において周波数ｆＩＦ２に変換される。第２中間周波数ｆＩＦ２は、例えば、４５０ｋＨｚに設定される。
【００２２】
ＳＩＦ２は、バッファアンプ７８を経由して、ＩＦＢＰＦ８０に入力される。ＩＦＢＰＦ８０は、ｆＩＦ２を中心周波数とし、かつ通過帯域幅ＷＦを可変設定できるバンドパスフィルタである。ＩＦＢＰＦ８０の通過帯域幅ＷＦは帯域幅制御回路９４により制御される。
【００２３】
ＩＦＢＰＦ８０から出力されたＳＩＦ２は、リミッタアンプ８２を経て、ＦＭ検波回路８４に入力される。ＦＭ検波回路８４は例えば、クオドラチュア検波回路で構成される。ＦＭ検波回路８４は、リミッタアンプ８２から入力されたＳＩＦ２をＦＭ検波し、検波出力信号ＳＤＥＴを出力する。
【００２４】
ノイズキャンセラ８６は、検波出力信号ＳＤＥＴからパルスノイズを除去する。例えば、車載のＦＭチューナでは、車両のエンジン、電動ミラーやワイパーなどの動作に起因して、時間幅の短く振幅の大きいパルス状のノイズが受信信号に重畳し得る。ノイズキャンセラ８６は、このようなパルスノイズによる音質劣化を抑制する。パルスノイズを除去されたＳＤＥＴはマトリクス回路８８に入力される。
【００２５】
ノイズキャンセラ８６の出力にはパイロット信号抽出回路９８が設けられている。ＳＤＥＴは、（Ｌ＋Ｒ）信号、（Ｌ−Ｒ）信号及びパイロット信号ＳＰＬからなるステレオコンポジット信号であり、パイロット信号抽出回路９８はこのＳＤＥＴからパイロット信号ＳＰＬを抽出する。抽出されたパイロット信号ＳＰＬは、マトリクス回路８８に入力される。
【００２６】
マトリクス回路８８は、ステレオ放送時には、パイロット信号抽出回路９８から入力されるパイロット信号ＳＰＬを用いて、ＳＤＥＴからパイロット信号ＳＰＬを相殺し、（Ｌ＋Ｒ）信号、（Ｌ−Ｒ）信号をそれぞれ抽出することができる。そして、それら（Ｌ＋Ｒ）信号と（Ｌ−Ｒ）信号とから、マトリクス方式によりＬ信号とＲ信号とを分離し出力することができる。
【００２７】
ステレオ分離度制御回路９６は、マトリクス回路８８でのマトリクス処理における、差信号（Ｌ−Ｒ）の和信号（Ｌ＋Ｒ）に対する相対的な強度を調整して、ステレオ信号の分離度を制御する。
【００２８】
Ｓメータ回路９２は、例えば、ＢＰＦ７２から入力されたＳＩＦ１に基づいて、ＳＩＦ１に含まれる変動成分信号ＳＭ−ＡＣを生成すると共に、当該変動成分をＬＰＦで平滑化して受信電界強度信号ＳＭ−ＤＣを生成する。
【００２９】
図２は、Ｓメータ回路９２の概略の構成を示す回路図である。Ｓメータ回路９２は、例えば、直列に接続された６段のリミッタアンプ１２０-1〜１２０-6、それらの出力を並列に入力される加算器１２２、加算器１２２の出力電流ＩＯＵＴをＳＭ−ＤＣ及びＳＭ−ＡＣそれぞれの出力回路へ取り出すカレントミラー回路１２４、カレントミラー回路１２４の出力電流に基づいてそれぞれＳＭ−ＤＣを生成する平滑化回路１２６を含んで構成される。
【００３０】
ＳＩＦ１は初段のリミッタアンプ１２０-1に入力され、各リミッタアンプ１２０で順次増幅されると共に、各リミッタアンプ１２０-k（ｋは１≦ｋ≦６なる整数）の出力信号ＳＡｋとして加算器１２２に入力される。加算器１２２は、各ＳＡｋと基準電圧Ｖaとの電圧差δVＡｋ（≡ＳＡｋ−Ｖa）を求め、δVＡｋ＞０なるδVＡｋについて、当該電圧差に応じた電流δIＡｋを生成し、それらの合成電流をＩＯＵＴとして出力する。
【００３１】
カレントミラー回路１２４は、ＩＯＵＴが流れる入力側経路と、２つの並列に設けられた出力側経路とを有し、入力側のＩＯＵＴを各出力側経路にそれぞれ折り返す。一方に出力側経路には抵抗Ｒ１及びキャパシタＣ１からなる平滑化回路１２６が設けられる。平滑化回路１２６は大きな時定数を有し、十分に平滑化され実質的に直流とみなせる信号であるＳＭ−ＤＣを生成する。他方の出力側経路に取り出されたＩＯＵＴに応じた信号は、種々の変動成分を含んだまま、ＳＭ−ＡＣとして出力される。
【００３２】
Ｓメータ回路９２の感度は、レジスタ１０６に格納される感度設定データＤＳＭに基づいてＤ／Ａ変換回路１１０が生成するアナログ電圧により制御される。例えば、Ｄ／Ａ変換回路１１０の出力電圧により、リミッタアンプ１２０のゲインや、加算器１２２のδIＡｋの生成についてのゲインが制御される。レジスタ１０６に対する感度設定データＤＳＭの設定は、マイクロコンピュータ５４により行われる。この点については後述する。
【００３３】
ＳＭ−ＡＣは例えば、ＭＲＣ回路１００に入力される。ＭＲＣ回路１００は、ラジオ放送局からの直接波と伝送経路上の建物等による反射波とが受信されるマルチパス受信状態（マルチパス妨害状態）に起因するノイズ成分を抽出する回路であり、ＨＰＦ１３０、検波回路１３２、ＭＲＣ出力回路１３４を含んで構成される。ＨＰＦ１３０のカットオフ周波数ｆＣは、ＳＭ−ＡＣに含まれるマルチパスノイズの主要成分がＨＰＦ１３０を通過するように設定される。検波回路１３２はＨＰＦ１３０を通過した高周波成分を整流検波して直流電圧に変換する。これにより、ＭＲＣ回路１００は、受信信号中におけるマルチパスノイズ成分量に応じた電圧レベルの直流信号ＳＭＰを生成し、当該ＳＭＰはＭＲＣ出力回路１３４に入力される。
【００３４】
ＭＲＣ出力回路１３４は、受信電界強度に応じたＳＭ−ＤＣ及びマルチパスノイズ成分量に応じたＳＭＰに基づいて、ステレオ分離度制御回路９６に対する制御信号ＳＭＲを生成する。ＭＲＣ出力回路１３４は、ＳＭ−ＤＣをＳＭＰに応じて減衰させてＳＭＲを生成する。
【００３５】
このＭＲＣ出力回路１３４で生成されたＳＭＲは、電界強度が弱いほど低下し、またマルチパスに応じた変動成分が大きいほど低下する。これに対応して、ステレオ分離度制御回路９６は、ＳＭＲが低い場合にマトリクス回路８８での分離度を下げ、高い場合に分離度を上げるように構成される。これにより、弱電界時やマルチパス受信時にステレオ分離度を抑制した再生、又はモノラル再生とされ、ステレオ音声における弱電界時のノイズ感やマルチパスノイズの影響が軽減され、聴覚上の違和感が低減される。
【００３６】
本実施形態では、受信電界強度信号ＳＭ−ＤＣにより制御されるＦＭチューナ回路５２の機能の一例として、ステレオ分離度の制御に関する構成を図１に示し説明した。このようにＦＭチューナ回路５２においてＳＭ−ＤＣにより制御される機能は、図１には図示しないが、他にも存在する。例えば、シーク動作における受信局の検出判定や、ＨＣＣ、ソフトミュートの制御などである。
【００３７】
シーク動作では受信信号の強度が所定の閾値以上であるか否かに基づいて、同調周波数ｆＴにて受信局の受信の有無が判断される。このとき、ＳＭ−ＤＣが閾値と比較されて、受信局の有無が判定される。
【００３８】
ＨＣＣは、弱電界時に、例えば、１０ｋＨｚ程度以上の高域成分を減衰させ、弱電界時に増えるパルスノイズや高域ノイズを好適に除去する。また、ソフトミュートは、受信信号の強度が小さくなるにつれて、緩やかに音声ミュートをかける。これらの電界強度に応じた制御は、受信電界強度信号ＳＭ−ＤＣに基づいて行うように構成される。
【００３９】
次に、ＦＭ受信機５０における受信電界強度信号ＳＭ−ＤＣの感度の制御について説明する。メモリ６０は、受信電界強度信号ＳＭ−ＤＣの同調周波数ｆＴに対する依存性についての較正情報１４０を予め格納されている。マイクロコンピュータ５４は、ＲＦ回路６２における同調周波数ｆＴを可変する同調制御に連動して、較正情報１４０に基づいてレジスタ１０６にｆＴに応じた感度設定データＤＳＭを設定する。
【００４０】
較正情報１４０は、複数の同調周波数ｆＴにてＲＦ回路６２に同一強度のＲＦ信号を入力したときに、Ｓメータ回路９２により同等の受信電界強度信号ＳＭ−ＤＣが検出される感度設定データＤＳＭに基づいて取得することができる。
【００４１】
例えば、半導体製造メーカーにおいて、ＦＭチューナ回路５２を構成するＦＭチューナ用ＩＣのパッケージング工程の完了後、当該ＩＣの動作確認検査を行う工程で、較正情報１４０を取得するための測定を行う。または、チューナーメーカーやセットメーカーにて、チューナーモジュールやセットのチューナ部の調整工程で、較正情報１４０を取得するための測定を行う。測定は、受信対象帯域内に設定したｎ点（ｎは２以上の自然数である）の測定周波数ｆＭ(k)（ｋはｎ以下の自然数である）にて行う。検査対象のＩＣのＲＦ回路６２を測定周波数ｆＭ(k)に同調させ、ＲＦ回路６２の入力端子に、周波数ｆＭ(k)で所定強度ＡＳの基準ＲＦ信号を入力する。この状態で、レジスタ１０６に格納する感度設定データＤＳＭを書き換え、ＳＭ−ＤＣの電圧値をモニタし、ＳＭ−ＤＣが基準ＲＦ信号の強度ＡＳに対して好適な所定レベルＶＳとなる感度設定データＤＳＭ(k)を探索する。この探索を各ｆＭ(k)について行い、ｎ個のＤＳＭ(k)を求める。その際、各ｆＭ(k)にて同じ強度ＡＳの基準ＲＦ信号が入力される。また、基準ＲＦ信号に対する好適なレベルＶＳはｆＭ(k)によらずに一定に定められる。
【００４２】
得られた各ＤＳＭ(k)はｆＭ(k)と対応付けて、メモリ６０に較正情報１４０として書き込まれる。ｎ＝３の場合の具体例として、ｆＭ(1)＝７６ＭＨｚに対応付けてＤＳＭ(1)＝１２、ｆＭ(2)＝８３ＭＨｚに対応付けてＤＳＭ(2)＝１５、ｆＭ(3)＝９０ＭＨｚに対応付けてＤＳＭ(3)＝１７がメモリ６０に格納される。
【００４３】
ＦＭ受信機５０は、このメモリ６０に予め較正情報１４０が記録されたＦＭチューナ用ＩＣを用いて組み立てることができる。このように、ＦＭチューナの信号処理回路とメモリ６０とを一体としたＦＭチューナ用ＩＣは、当該信号処理回路に対応した較正情報１４０をＩＣ製造時にメモリ６０に格納できる。ＦＭ受信機５０のセットメーカー等は、予め半導体メーカーにて較正情報１４０が書き込まれたＩＣを用いることで、Ｓメータ回路９２の特性についての調整工程を省くことができる。
【００４４】
なお、メモリ６０に格納された較正情報１４０は、ＦＭ受信機５０の組立後に必要に応じて書き換えることもできる。また、メモリ６０をＦＭ信号の処理回路とは別のＩＣとし、それらＩＣ等を基板等に取り付けＦＭ受信機５０を組み立てた後に、較正情報１４０についての測定を行ってメモリ６０に書き込んでもよい。
【００４５】
ＦＭ受信機５０の受信動作時には、上述したように、マイクロコンピュータ５４がｆＴへの同調制御に連動して、較正情報１４０に基づきレジスタ１０６にｆＴに応じた感度設定データＤＳＭを設定する。その際、較正情報１４０として上述した複数セットの（ｆＭ(k)，ＤＳＭ(k)）を格納する構成では、マイクロコンピュータ５４は、任意のｆＴに対し、補間又は外挿によって感度設定データＤＳＭを求める。
【００４６】
例えば、上述した３セットの（ｆＭ(k)，ＤＳＭ(k)）において、ｆＴが７８．４ＭＨｚである場合に、マイクロコンピュータ５４は、（ｆＭ(1)，ＤＳＭ(1)）と（ｆＭ(2)，ＤＳＭ(2)）とを補間して、ＤＳＭ＝１３を得、これをレジスタ１０６に書き込む。
【００４７】
また、放送局の周波数は、一定の間隔を置いて設定されたチャンネルに割り当てられる。例えば、日本のＦＭ放送のチャンネルは１００ｋＨｚステップで設定されている。このように、ｆＴは連続ではなく有限個数の値であるため、それら全てについてのＤＳＭのデータ容量もそれほど多くはならない。よって、チャンネル毎に、予め補間演算を行ってＤＳＭを算出し、当該ＤＳＭを較正情報１４０としてメモリ６０に格納してもよい。
【００４８】
さらに、上述した３セットの（ｆＭ(k)，ＤＳＭ(k)）において例えば、ｆＭ(1)とｆＭ(2)との間では、日本での１チャンネルに相当する１００ｋＨｚ毎のＤＳＭの変化量は約０．０４２である。ここではＤＳＭは整数であり、補間演算において小数点以下を切り捨てるので、ｆＭ(1)からｆＭ(2)まではＤＳＭは２３チャンネル毎に１ずつ増加する。言い換えれば、複数の連続するチャネルが同一のＤＳＭとなる。このような場合には、チャンネル列上にてＤＳＭが変化するチャンネル位置など、ＤＳＭが一定となるチャンネル区間を示す情報と、当該区間でのＤＳＭとを較正情報１４０とすることによりメモリ６０の所要量を抑制できる。この場合には、マイクロコンピュータ５４は、指定されたｆＴが属するチャンネル区間を判別し、当該区間に対応するＤＳＭを読み出して、レジスタ１０６に設定する。
【００４９】
なお、ここではｎ＝３の例を説明したが、ｎをより多くすれば補間の精度向上が図られる。
【００５０】
本ＦＭ受信機５０では、以上説明したように、較正情報１４０を用いてｆＴに応じた感度設定データがレジスタ１０６に設定される。これにより、原理的に、所定強度の入力ＲＦ信号に対するＳＭ−ＤＣの信号レベルが、ｆＴに依存せず受信対象帯域内にて一定となるように較正される。その結果、Ｓメータ回路９２における、アンテナ５８から入力されるＲＦ信号ＳＲＦ０の実際の強度と受信電界強度信号ＳＭ−ＤＣとの関係を定める入出力特性も基本的に受信対象帯域内で共通となることが期待できる。また、ＳＭ−ＤＣを用いて制御されるＦＭ受信機５０の各種の機能についても、受信対象帯域内での動作の変動が抑制され、受信局によらず一定の音質等の確保が可能となる。
【図面の簡単な説明】
【００５１】
【図１】本発明の実施形態に係るＦＭ受信機の概略のブロック構成図である。
【図２】Ｓメータ回路の概略の構成を示す回路図である。
【図３】従来のＦＭ受信機の構成を説明するブロック図である。
【符号の説明】
【００５２】
５０  ＦＭ受信機、５２  ＦＭチューナ回路、５４  マイクロコンピュータ、５６  システムバス、５８  アンテナ、６０  メモリ、６２  ＲＦ回路、６４  第１局部発振回路、６６  第１混合回路、６８，７２  ＢＰＦ、７０，７８  バッファアンプ、７４  第２局部発振回路、７６  第２混合回路、８０  ＩＦＢＰＦ、８２  リミッタアンプ、８４  ＦＭ検波回路、８６  ノイズキャンセラ、８８  マトリクス回路、９２  Ｓメータ回路、９４  帯域幅制御回路、９６  ステレオ分離度制御回路、９８  パイロット信号抽出回路、１００  ＭＲＣ回路、１０４，１０６  レジスタ、１０８，１１０  Ｄ／Ａ変換回路、１２０  リミッタアンプ、１２２  加算器、１２４  カレントミラー回路、１２６  平滑化回路、１３０  ＨＰＦ、１３２  検波回路、１３４  ＭＲＣ出力回路。
【図１】
2009081598.tif 000003
【図２】
2009081598.tif 000004
【図３】
2009081598.tif 000005